(57)【要約】【課題】定速走行時に走行速度を低下させることなく燃費を低減することが可能なエンジン制御装置を提供することを目的とする。【解決手段】ベルト式無段変速機２を搭載した車両にあって、アクセル開度Ａｃｃの変化量及び車両の走行速度Ｖの変化量から車両の定速走行状態を判定し、車両の定速走行状態が判定された場合にエンジンへの燃焼成分の供給量を予め設定された所定量低減する。これにより、無段変速機２でベルトを挟持するための油圧低減可能分やベルト滑り低減可能分だけ、エンジントルクの消費を低減することが可能となる。また、車両の定速走行状態が判定された後、車両の走行速度の定速走行速度ＶAVからの乖離成分が予め設定された範囲内であり且つアクセル開度の変化量が予め設定された範囲内である場合に、予め設定された所定時間経過毎にエンジンへの燃焼成分の供給量を予め設定された所定量ずつ低減する。【選択図】図２
2013083183.tif 000002
【特許請求の範囲】
【請求項１】
ベルト式無段変速機を搭載した車両のエンジン制御装置において、アクセル開度を検出するアクセル開度検出手段と、前記アクセル開度検出手段で検出されたアクセル開度の変化量及び車両の走行速度の変化量から車両の定速走行状態を判定する定速走行状態判定手段と、前記定速走行状態判定手段で車両の定速走行状態が判定された場合にエンジンへの燃焼成分の供給量を予め設定された所定量低減するエンジン燃焼成分低減手段とを備えたことを特徴とする車両のエンジン制御装置。
【請求項２】
前記エンジン燃焼成分低減手段は、前記定速走行状態判定手段で車両の定速走行状態が判定されたときの車両の走行速度を定速走行速度とした場合に、前記定速走行状態判定手段で車両の定速走行状態が判定された後、車両の走行速度の定速走行速度からの乖離成分が予め設定された範囲を超える場合及びアクセル開度の変化量が予め設定された範囲を超える場合の少なくとも何れか一方である場合に、前記エンジンへの燃焼成分の供給量の低減を停止することを特徴とする請求項１に記載の車両のエンジン制御装置。
【請求項３】
前記エンジン燃焼成分低減手段は、前記定速走行状態判定手段で車両の定速走行状態が判定されたときの車両の走行速度を定速走行速度とした場合に、前記定速走行状態判定手段で車両の定速走行状態が判定された後、車両の走行速度の定速走行速度からの乖離成分が予め設定された範囲内であり且つアクセル開度の変化量が予め設定された範囲内である場合に、予め設定された所定時間経過毎にエンジンへの燃焼成分の供給量を予め設定された所定量ずつ低減することを特徴とする請求項１又は２に記載の車両のエンジン制御装置。
【発明の詳細な説明】
【技術分野】
【０００１】
本発明は、エンジンの制御装置に関し、特に定速走行時のエンジン制御に好適なものである。
【背景技術】
【０００２】
このようなエンジン制御装置としては、例えば下記特許文献１に記載されるものがある。このエンジン制御装置は、例えば変速比を連続的に変化させることができる無段変速機を搭載した車両において、車両の走行速度とアクセル開度に基づいて目標駆動力を設定し、この目標駆動力と走行速度から目標出力を設定し、この目標出力を達成する目標エンジントルク及び目標エンジン回転速度を例えば最適燃費条件から設定し、目標エンジントルクが実現されるように例えばスロットル開度を制御すると共に変速機制御装置は目標エンジン回転速度が実現されるように無段変速機の変速比を制御する。
【先行技術文献】
【特許文献】
【０００３】
【特許文献１】特開２００６−２１９０６６号公報
【発明の概要】
【発明が解決しようとする課題】
【０００４】
ところで、前述した無段変速機がベルト式（Ｖベルト式ともいう）無段変速機である場合、ベルトが接触している入出力のプーリの接触半径、所謂プーリ比を連続的に変更することで無段変速を可能としている。このようなベルト式無段変速機では、周知のように、ベルトが不要に滑らないように、プーリを構成する二つのシーブ（プーリ部片）に油圧をかけてそれらのシーブでベルトを挟み付けている。シーブにかける油圧は、例えば変速時、つまり変速比の変化時であってプーリの溝幅変更時にベルトが不要に滑らないように設定されている。従って、変速比が変化しない、アクセル開度一定の定速走行時にはシーブにかける油圧を低減できる可能性があり、シーブにかける油圧はエンジンで駆動される油圧ポンプで発生するから油圧ポンプで消費されるエンジントルクを低減できる可能性がある。また、シーブに油圧をかけてベルトを挟み付けても、ベルトは多少滑っており、エンジントルクが大きいほど、ベルトの滑り量は大きいと考えられる。従って、定速走行時にエンジントルクを低減すると、ベルトの滑り量が減少し、所謂メカニカルロスが小さくなるため、無段変速機の出力回転速度、即ち走行速度を低下させることなく、燃費を低減することが可能となる。
【０００５】
本発明は、上記のような問題点に着目してなされたものであり、定速走行時に走行速度を低下させることなく燃費を低減することが可能なエンジン制御装置を提供することを目的とするものである。
【課題を解決するための手段】
【０００６】
上記課題を解決するために、発明の実施態様は、ベルト式無段変速機を搭載した車両のエンジン制御装置において、アクセル開度を検出するアクセル開度検出手段と、前記アクセル開度検出手段で検出されたアクセル開度の変化量及び車両の走行速度の変化量から車両の定速走行状態を判定する定速走行状態判定手段と、前記定速走行状態判定手段で車両の定速走行状態が判定された場合にエンジンへの燃焼成分の供給量を予め設定された所定量低減するエンジン燃焼成分低減手段とを備えたことを特徴とする車両のエンジン制御装置である。
【０００７】
また、別の実施態様は、前記エンジン燃焼成分低減手段は、前記定速走行状態判定手段で車両の定速走行状態が判定されたときの車両の走行速度を定速走行速度とした場合に、前記定速走行状態判定手段で車両の定速走行状態が判定された後、車両の走行速度の定速走行速度からの乖離成分が予め設定された範囲を超える場合及びアクセル開度の変化量が予め設定された範囲を超える場合の少なくとも何れか一方である場合に、前記エンジンへの燃焼成分の供給量の低減を停止することを特徴とする車両のエンジン制御装置である。
【０００８】
また、別の実施態様は、前記エンジン燃焼成分低減手段は、前記定速走行状態判定手段で車両の定速走行状態が判定されたときの車両の走行速度を定速走行速度とした場合に、前記定速走行状態判定手段で車両の定速走行状態が判定された後、車両の走行速度の定速走行速度からの乖離成分が予め設定された範囲内であり且つアクセル開度の変化量が予め設定された範囲内である場合に、予め設定された所定時間経過毎にエンジンへの燃焼成分の供給量を予め設定された所定量ずつ低減することを特徴とする車両のエンジン制御装置である。
【発明の効果】
【０００９】
而して、発明の実施態様では、ベルト式無段変速機を搭載した車両にあって、アクセル開度の変化量及び車両の走行速度の変化量から車両の定速走行状態を判定し、車両の定速走行状態が判定された場合にエンジンへの燃焼成分の供給量を予め設定された所定量低減する。この構成により、定速走行時には、ベルト式無段変速機でベルトを挟持するための油圧低減可能分やベルト滑り低減可能分だけ、エンジントルクの消費を低減することが可能であるので、走行速度を低下することなく燃費を低減することが可能となる。
【００１０】
また、車両の定速走行状態が判定されたときの車両の走行速度を定速走行速度とした場合に、車両の定速走行状態が判定された後、車両の走行速度の定速走行速度からの乖離成分が予め設定された範囲を超える場合及びアクセル開度の変化量が予め設定された範囲を超える場合の少なくとも何れか一方である場合に、エンジンへの燃焼成分の供給量の低減を停止する。従って、定速走行状態にあっても、車両の走行速度の定速走行速度からの乖離成分が予め設定された範囲を超える場合やアクセル開度の変化量が予め設定された範囲を超える場合には、エンジンへの燃焼成分の供給量を通常制御状態に復帰させることができ、ドライバビリティを損なうことなく、エンジントルクを速やかに復帰させることができる。
【００１１】
また、車両の定速走行状態が判定されたときの車両の走行速度を定速走行速度とした場合に、車両の定速走行状態が判定された後、車両の走行速度の定速走行速度からの乖離成分が予め設定された範囲内であり且つアクセル開度の変化量が予め設定された範囲内である場合に、予め設定された所定時間経過毎にエンジンへの燃焼成分の供給量を予め設定された所定量ずつ低減する。従って、定速走行状態にあって、車両の走行速度の定速走行速度からの乖離成分が予め設定された範囲内であり且つアクセル開度の変化量が予め設定された範囲内である場合には、より一層の燃費の低減が可能となる。
【図面の簡単な説明】
【００１２】
【図１】本発明のエンジン制御装置の第１実施形態を示すシステム構成図である。
【図２】図１のエンジン制御装置で実行される演算処理のフローチャートである。
【図３】図２の演算処理の作用の説明図である。
【図４】本発明のエンジン制御装置の第２実施形態を示すシステム構成図である。
【図５】図４のエンジン制御装置で実行される演算処理のフローチャートである。
【発明を実施するための形態】
【００１３】
次に、本発明のエンジン制御装置の実施形態について図面を参照しながら説明する。
図１は、本発明のエンジン制御装置の第１実施形態を示すシステム構成図である。本実施形態のエンジン制御装置が適用される車両は、原動機としてのエンジン１、エンジン１の回転駆動力を変速する変速機２、変速機２の出力を分配するディファレンシャルギヤ３、分配された駆動力で駆動される駆動輪４を備えて構成されている。原動機としてのエンジン１には例えば直列多気筒エンジンを用いた。また、変速機２にはベルト式の無段変速機（ＣＶＴ：Continuously Variable Transmission）を用いた。
【００１４】
前記エンジン１はエンジンコントロールユニット５によって運転状態が制御される。エンジンコントローラ５はエンジン制御アクチュエータ６を制御することによってエンジン１の運転状態を制御する。エンジンコントロールユニット１によるエンジンの運転状態制御要素としては、例えばスロットルバルブによる吸入空気量や燃料噴射装置による燃料噴射量、点火プラグによる点火時期などが挙げられる。また、これらの制御要素に加えて、吸排気バルブのタイミングやリフト量などを制御することも可能である。なお、図示しないアクセルペダルにはアクセル開度センサ８が備えられており、アクセルペダルの踏込み量を示すアクセル開度が検出される。
【００１５】
前記無段変速機２は無段変速機コントロールユニット（図ではＣＶＴコントロールユニット）７によって作動状態が制御される。本実施形態の場合、無段変速機２はベルト式無段変速機であるから、変速機の作動状態制御要素としては、例えばプーリの溝幅を調整して変速比を制御するための油圧状態、具体的にはデューティソレノイドバルブへのデューティ比などが挙げられる。前述したように、ベルト式無段変速機２では、プーリを構成する二つのシーブ（プーリ部片）を軸線方向に移動して溝幅を変更し、ベルトの接触半径を変化させてプーリ比を変化させることで無段変速を可能とする。その際、ベルトが不要に滑ると円滑な変速が行えないので、シーブに油圧をかけてベルトを挟み付ける。シーブにかける油圧は油圧ポンプで発生し、油圧ポンプが無段変速機に内外装されている場合であっても、油圧ポンプはエンジンで駆動される。ちなみに、シーブにかけられる油圧は油圧回路内の最高油圧であるライン圧程度に高い。また、シーブに油圧をかけてベルトを挟み付けても、ベルトは多少滑っており、エンジントルクが大きいほどベルトの滑り量も大きい。また、電動モータを用いてプーリの溝幅を変更するベルト式無段変速機もある。また、無段変速機２の出力軸には車両の走行速度を検出する走行速度センサ９が備えられている。
【００１６】
そして、本実施形態では、前記エンジンコントロールユニット５や無段変速機コントロールユニット７は、何れもマイクロコンピュータなどの演算処理装置で構成され、所定の演算処理を行うと共に情報を記憶し、互いに車内通信網によって通信し合うように構成されている。
演算処理装置で構成されるエンジンコントロールユニット５では、例えば運転者によるアクセルペダルの踏込み量であるアクセル開度をアクセル開度センサ８で検出し、種々の演算処理を行って、検出されたアクセル開度に応じたエンジン運転状態が達成されるようにエンジン制御アクチュエータ６を制御する。本実施形態では、例えばスロットル開度による吸入空気量や燃料噴射装置による燃料噴射量は、通常時、アクセル開度に応じた値に制御されるものとする。
【００１７】
図２には、前記エンジンコントロールユニット５で行われる演算処理の一つを示す。この演算処理は、所定の制御周期で繰り返し行われる。なお、フローチャート中の（ｎ）は今回値、（ｎ−１）は前回値を表し、（  ）のないｎは第１カウント値を表し、ｍは第２カウント値を表す。この演算処理では、まずステップＳ１で、前記走行速度センサ９で検出された走行速度（の今回値）Ｖ(n)及びアクセル開度センサ８で検出されたアクセル開度（の今回値）Ａｃｃ(n)を読み込む。
【００１８】
次にステップＳ２に移行して、燃焼成分低減フラグＦが“１”のセット状態であるか否かを判定し、燃焼成分低減フラグＦがセット状態である場合にはステップＳ１４に移行し、そうでない場合にはステップＳ３に移行する。
前記ステップＳ３では、後述する第１走行速度Ｖ1（又は第１アクセル開度Ａｃｃ1）が記憶されているか否かを判定し、第１走行速度Ｖ1（又は第１アクセル開度Ａｃｃ1）が記憶されている場合にはステップＳ４に移行し、そうでない場合にはステップＳ６に移行する。
【００１９】
前記ステップＳ４では、走行速度（の今回値）Ｖ(n)から第１走行速度Ｖ1を減じた値の絶対値が予め設定された所定走行速度差ΔＶ0以下であるか否かを判定し、走行速度（の今回値）Ｖ(n)から第１走行速度Ｖ1を減じた値の絶対値が所定走行速度差ΔＶ0以下である場合にはステップＳ５に移行し、そうでない場合にはステップＳ１１に移行する。
前記ステップＳ５では、アクセル開度（の今回値）Ａｃｃ(n)から第１アクセル開度Ａｃｃ1を減じた値の絶対値が予め設定された所定アクセル開度差ΔＡｃｃ0以下であるか否かを判定し、アクセル開度（の今回値）Ａｃｃ(n)から第１アクセル開度Ａｃｃ1を減じた値の絶対値が所定アクセル開度差ΔＡｃｃ0以下である場合にはステップＳ８に移行し、そうでない場合にはステップＳ１１に移行する。
【００２０】
前記ステップＳ１１では、燃焼成分低減フラグＦを“０”にリセットすると共に、第１カウント値ｎ、第２カウント値ｍを共に“０”にクリアしてから復帰する。なお、燃焼成分低減フラグＦのリセットと同時に、本演算処理で記憶した種々のデータをクリアする。
また、前記ステップＳ６では、走行速度の今回値Ｖ(n)から走行速度の前回値Ｖ(n-1)を減じた値の絶対値が前記予め設定された所定走行速度差ΔＶ0以下であるか否かを判定し、走行速度の今回値Ｖ(n)から走行速度の前回値Ｖ(n-1)を減じた値の絶対値が所定走行速度差ΔＶ0以下である場合にはステップＳ７に移行し、そうでない場合には復帰する。
【００２１】
前記ステップＳ７では、アクセル開度の今回値Ａｃｃ(n)からアクセル開度の前回値Ａｃｃ(n-1)を減じた値の絶対値が前記予め設定された所定アクセル開度差ΔＡｃｃ0以下であるか否かを判定し、アクセル開度の今回値Ａｃｃ(n)からアクセル開度の前回値Ａｃｃ(n-1)を減じた値の絶対値が所定アクセル開度差ΔＡｃｃ0以下である場合にはステップＳ８に移行し、そうでない場合には復帰する。
【００２２】
前記ステップＳ８では第１カウント値ｎをインクリメントしてからステップＳ９に移行する。
前記ステップＳ９では、走行速度（の今回値）Ｖ(n)を第１カウント値走行速度Ｖn、例えばｎ＝１であれば第１走行速度Ｖ1として記憶すると共に、アクセル開度（の今回値）Ａｃｃ(n)を第１カウント値アクセル開度Ａｃｃn、例えばｎ＝１であれば第１アクセル開度Ａｃｃ1として記憶してからステップＳ１０に移行する。
【００２３】
前記ステップＳ１０では、第１カウント値ｎが予め設定された所定第１カウント値ｎ０以上であるか否かを判定し、第１カウント値ｎが所定第１カウント値ｎ０以上である場合にはステップＳ１２に移行し、そうでない場合には復帰する。
前記ステップＳ１２では、燃焼成分低減フラグＦを“１”にセットしてからステップＳ１３に移行する。
【００２４】
前記ステップＳ１３では、記憶されている第１走行速度Ｖ1から第ｎ０走行速度Ｖｎ０までのｎ０個の走行速度の和を前記所定第１カウント値ｎ０で除し、その値を定速走行速度ＶAVとして記憶してから前記ステップＳ１４に移行する。
前記ステップＳ１４では、走行速度（の今回値）Ｖ(n)から定速走行速度ＶAVを減じた値の絶対値、換言すれば定速走行速度ＶAVからの乖離成分が予め設定された所定走行速度差ΔＶ00以下であるか否かを判定し、走行速度（の今回値）Ｖ(n)から定速走行速度ＶAVを減じた値の絶対値が所定走行速度差ΔＶ00以下である場合にはステップＳ１５に移行し、そうでない場合にはステップＳ２０に移行する。
【００２５】
前記ステップＳ１５では、アクセル開度（の今回値）Ａｃｃ(n)から第１アクセル開度Ａｃｃ1を減じた値の絶対値が予め設定された所定アクセル開度差ΔＡｃｃ00以下であるか否かを判定し、アクセル開度（の今回値）Ａｃｃ(n)から第１アクセル開度Ａｃｃ1を減じた値の絶対値が所定アクセル開度差ΔＡｃｃ00以下である場合にはステップＳ１６に移行し、そうでない場合にはステップＳ２０に移行する。
【００２６】
前記ステップＳ２０では、燃焼成分低減フラグＦを“０”にリセットすると共に、第１カウント値ｎ、第２カウント値ｍを共に“０”にクリアしてからステップＳ２１に移行し、このステップＳ２１では、後述する吸入空気量低減制御を停止してから復帰する。なお、燃焼成分低減フラグＦのリセットと同時に、本演算処理で記憶した種々のデータをクリアする。
【００２７】
一方、前記ステップＳ１６では、第２カウント値ｍが“０”のクリア状態であるか否かを判定し、第２カウント値ｍがクリア状態である場合にはステップＳ１７に移行し、そうでない場合にはステップＳ１９に移行する。
前記ステップＳ１７では、エンジンの燃焼成分である吸入空気量、即ちスロットル開度を現状より所定量低減してからステップＳ１８に移行する。
【００２８】
前記ステップＳ１８では、予め設定された所定第２カウント値ｍ０を第２カウント値ｍに設定してから復帰する。
一方、前記ステップＳ１９では、第２カウント値ｍをデクリメントしてから復帰する。
この演算処理によれば、走行速度の今回値Ｖ(n)から走行速度の前回値Ｖ(n-1)を減じた値の絶対値が所定走行速度差ΔＶ0以下であり、アクセル開度の今回値Ａｃｃ(n)からアクセル開度の前回値Ａｃｃ(n-1)を減じた値の絶対値が所定アクセル開度差ΔＡｃｃ0以下である場合に、第１走行速度Ｖ1（第１アクセル開度Ａｃｃ1）が記憶される。
【００２９】
この第１走行速度Ｖ1（又は第１アクセル開度Ａｃｃ1）が記憶された後、走行速度（の今回値）Ｖ(n)から第１走行速度Ｖ1を減じた値の絶対値が所定走行速度差ΔＶ0以下であり、且つアクセル開度（の今回値）Ａｃｃ(n)から第１アクセル開度Ａｃｃ1を減じた値の絶対値が所定アクセル開度差ΔＡｃｃ0以下である状態が、第１カウント値ｎが所定第１カウント値ｎ０でカウントアップするまで継続すると、定速走行状態が継続しているものと判定して燃焼成分低減フラグＦが“１”にセットされ、それまでの平均走行速度が定速走行速度ＶAVとして記憶される。
【００３０】
このとき第２カウント値ｍが“０”にクリアされたままなので、エンジンの燃焼成分である吸入空気量を現状より所定量低減する。この吸入空気量の低減量は、例えば前述したプーリのシーブにかける油圧低減可能分やベルト滑り低減可能分程度であり、その結果、エンジンで駆動される油圧ポンプの負荷が低減され、その分だけ、油圧ポンプで消費されるエンジントルクが低減し、エンジントルクの低減に伴ってベルト滑りの低減することから、走行速度が低下することなく、結果的に燃費が低減する。
【００３１】
更に、この定速走行状態が継続し、走行速度（の今回値）Ｖ(n)から定速走行速度ＶAVを減じた値の絶対値が所定走行速度差ΔＶ00以下であり、且つアクセル開度（の今回値）Ａｃｃ(n)から第１アクセル開度Ａｃｃ1を減じた値の絶対値が所定アクセル開度差ΔＡｃｃ00以下である状態が継続して、第２カウント値ｍが所定第２カウント値ｍ０から０までカウントダウンすると、再びエンジンの燃焼成分である吸入空気量を現状より所定量低減する。更に、所定第２カウント値ｍ０から０までカウントダウンするまで定速走行状態下継続すると、再びエンジンの燃焼成分である吸入空気量を現状より所定量低減する。
【００３２】
一方、この定速走行状態から、走行速度（の今回値）Ｖ(n)から定速走行速度ＶAVを減じた値の絶対値、即ち定速走行速度ＶAVからの乖離成分が所定走行速度差ΔＶ00を超えるか、又はアクセル開度（の今回値）Ａｃｃ(n)から第１アクセル開度Ａｃｃ1を減じた値の絶対値が所定アクセル開度差ΔＡｃｃ00を超える場合には吸入空気量低減制御が停止され、その結果、本来の吸入空気量がエンジンに供給される。
【００３３】
図３には、図２の演算処理の作用のタイミングチャートを示す。このタイミングチャートでは、例えば時刻ｔ0でアクセルペダルを踏み込んでアクセル開度を一定に保持し、それに伴って吸入空気量が増加した後、一定に保持され、車両の走行速度が次第に増加している。その後、時刻ｔ1で走行速度がほぼ一定になったため、図２の演算処理で定速走行状態の判定が開始され、時刻ｔ2で燃焼成分低減フラグＦがセットされ、燃焼成分、即ち吸入空気量が所定量低減された。その後も定速走行状態が継続されたため、所定時間毎に、時刻ｔ3、時刻ｔ4でも吸入空気量が所定量ずつ低減されている。しかしながら、その後の時刻ｔ5では、例えば走行抵抗が増加したために走行速度が低下し、それに伴ってアクセル開度が増加したため、燃焼成分低減フラグＦがリセットされ、吸入空気量低減制御が停止されて吸入空気量が低速走行制御以前の値に復帰し、更にそれより大きい値に増加している。燃焼成分を低減する際の所定量の設定は、エンジン１の出力特性及びベルト式無段変速機２のメカニカルロスの組合せに固有の値として設定し、車両の走行抵抗や慣性力を考慮して最適な値を設定すればよい。車両では、実際にエンジン１に吸入される吸入空気量に対する燃料噴射量の比が目標空燃比に一致するように燃料噴射量を補正する基本制御となっているので、エンジン１の出力は吸入空気量の増減に応じて増減することになり、排気ガス成分が悪化することもない。
【００３４】
図４は、本発明のエンジン制御装置の第２実施形態を示すシステム構成図である。本実施形態の車両の構成は、前記図１の第１実施形態の車両構成に類似しているので、同等の構成には同等の符号を付してその詳細な説明を省略する。本実施形態では、車両の前後加速度を検出する加速度センサ１０が追加されている。また、前記第１実施形態はガソリンエンジンを想定したのに対し、第２実施形態では出力制御を燃料噴射量で行うディーゼルエンジンを想定している。
【００３５】
図５は、図４のエンジンコントロールユニット５で行われる定速走行時燃焼成分低減制御のための演算処理を示すフローチャートである。この演算処理では、前記走行速度の変化量や定速走行速度からの乖離成分として加速度センサ１０で検出される加速度を用いる。この演算処理も、前記第１実施形態の図２の演算処理と同様に所定の制御周期で繰り返し行われる。この演算処理では、まずステップＳ３１で、前記走行速度センサ９で検出された走行速度（の今回値）Ｖ(n)及び加速度センサ１０で検出された加速度（の今回値）Ｇ(n)及びアクセル開度センサ８で検出されたアクセル開度（の今回値）Ａｃｃ(n)を読み込む。
【００３６】
次にステップＳ３２に移行して、燃焼成分低減フラグＦが“１”のセット状態であるか否かを判定し、燃焼成分低減フラグＦがセット状態である場合にはステップＳ４４に移行し、そうでない場合にはステップＳ３３に移行する。
前記ステップＳ３３では、第１アクセル開度Ａｃｃ1が記憶されているか否かを判定し、第１アクセル開度Ａｃｃ1が記憶されている場合にはステップＳ３４に移行し、そうでない場合にはステップＳ３６に移行する。
【００３７】
前記ステップＳ３４では、加速度（の今回値）Ｇ(n)の絶対値、つまり走行速度Ｖの（単位時間当たりの）変化量が予め設定された所定加速度値Ｇ0以下であるか否かを判定し、加速度（の今回値）Ｇ(n)の絶対値が所定加速度値Ｇ0以下である場合にはステップＳ３５に移行し、そうでない場合にはステップＳ４１に移行する。
前記ステップＳ３５では、アクセル開度（の今回値）Ａｃｃ(n)から第１アクセル開度Ａｃｃ1を減じた値の絶対値が予め設定された所定アクセル開度差ΔＡｃｃ0以下であるか否かを判定し、アクセル開度（の今回値）Ａｃｃ(n)から第１アクセル開度Ａｃｃ1を減じた値の絶対値が所定アクセル開度差ΔＡｃｃ0以下である場合にはステップＳ３８に移行し、そうでない場合にはステップＳ４１に移行する。
【００３８】
前記ステップＳ４１では、燃焼成分低減フラグＦを“０”にリセットすると共に、第１カウント値ｎ、第２カウント値ｍを共に“０”にクリアしてから復帰する。なお、燃焼成分低減フラグＦのリセットと同時に、本演算処理で記憶した種々のデータをクリアする。
また、前記ステップＳ３６では、加速度（の今回値）Ｇ(n)の絶対値が前記予め設定された所定加速度値Ｇ0以下であるか否かを判定し、加速度（の今回値）Ｇ(n)の絶対値が所定加速度値Ｇ0以下である場合にはステップＳ３７に移行し、そうでない場合には復帰する。
【００３９】
前記ステップＳ３７では、アクセル開度の今回値Ａｃｃ(n)からアクセル開度の前回値Ａｃｃ(n-1)を減じた値の絶対値が前記予め設定された所定アクセル開度差ΔＡｃｃ0以下であるか否かを判定し、アクセル開度の今回値Ａｃｃ(n)からアクセル開度の前回値Ａｃｃ(n-1)を減じた値の絶対値が所定アクセル開度差ΔＡｃｃ0以下である場合にはステップＳ３８に移行し、そうでない場合には復帰する。
【００４０】
前記ステップＳ３８では第１カウント値ｎをインクリメントしてからステップＳ９に移行する。
前記ステップＳ３９では、アクセル開度（の今回値）Ａｃｃ(n)を第１カウント値アクセル開度Ａｃｃn、例えばｎ＝１であれば第１アクセル開度Ａｃｃ1として記憶してからステップＳ４０に移行する。
【００４１】
前記ステップＳ４０では、第１カウント値ｎが予め設定された所定第１カウント値ｎ０以上であるか否かを判定し、第１カウント値ｎが所定第１カウント値ｎ０以上である場合にはステップＳ４２に移行し、そうでない場合には復帰する。
前記ステップＳ４２では、燃焼成分低減フラグＦを“１”にセットしてからステップＳ４４に移行する。
【００４２】
前記ステップＳ４４では、加速度（の今回値）Ｇ(n)の絶対値、換言すれば定速走行速度からの乖離成分が予め設定された所定加速度値Ｇ00以下であるか否かを判定し、加速度（の今回値）Ｇ(n)の絶対値が所定加速度値Ｇ00以下である場合にはステップＳ４５に移行し、そうでない場合にはステップＳ５０に移行する。
前記ステップＳ４５では、アクセル開度（の今回値）Ａｃｃ(n)から第１アクセル開度Ａｃｃ1を減じた値の絶対値が予め設定された所定アクセル開度差ΔＡｃｃ00以下であるか否かを判定し、アクセル開度（の今回値）Ａｃｃ(n)から第１アクセル開度Ａｃｃ1を減じた値の絶対値が所定アクセル開度差ΔＡｃｃ00以下である場合にはステップＳ４６に移行し、そうでない場合にはステップＳ５０に移行する。
【００４３】
前記ステップＳ５０では、燃焼成分低減フラグＦを“０”にリセットすると共に、第１カウント値ｎ、第２カウント値ｍを共に“０”にクリアしてからステップＳ５１に移行し、このステップＳ５１では、後述する燃料噴射量低減制御を停止してから復帰する。なお、燃焼成分低減フラグＦのリセットと同時に、本演算処理で記憶した種々のデータをクリアする。
【００４４】
一方、前記ステップＳ４６では、第２カウント値ｍが“０”のクリア状態であるか否かを判定し、第２カウント値ｍがクリア状態である場合にはステップＳ４７に移行し、そうでない場合にはステップＳ４９に移行する。
前記ステップＳ４７では、エンジンの燃焼成分である燃料噴射量を現状より所定比率（１−Δｐ）（Δｐは１より小さい所定値）で低減してからステップＳ３８に移行する。
【００４５】
前記ステップＳ３８では、予め設定された所定第２カウント値ｍ０を第２カウント値ｍに設定してから復帰する。
一方、前記ステップＳ３９では、第２カウント値ｍをデクリメントしてから復帰する。
この演算処理によれば、走行速度の変化量や定速走行速度からの乖離成分を加速度で検出する点を除けば、前記第１実施形態の図２の演算処理と同様に、定速走行状態の判定時にエンジンの燃焼成分である燃料噴射量を所定比率で低減し、もってプーリのシーブにかける油圧低減分だけ、油圧ポンプによるエンジントルクの消費分を低減して燃費を低減することができる。また、定速走行状態が継続すれば、所定時間毎に燃料噴射量を更に所定比率で低減して、更なる燃費の低減を可能とする。一方、定速走行速度からの乖離成分である加速度が所定値を超えたり、アクセル開度の変化量が所定値を超えたりした場合には、燃料噴射量低減制御を停止し、通常の燃料噴射量に復帰するため、ドライバビリティが確保される。
【００４６】
このように前記実施形態のエンジン制御装置によれば、ベルト式無段変速機２を搭載した車両にあって、アクセル開度Ａｃｃの変化量及び車両の走行速度Ｖの変化量から車両の定速走行状態を判定し、車両の定速走行状態が判定された場合にエンジンへの燃焼成分の供給量を予め設定された所定量低減する。これにより、定速走行時には、ベルト式無段変速機２でベルトを挟持するための油圧低減可能分やベルト滑り低減可能分だけ、エンジントルクの消費を低減することが可能であるので、走行速度Ｖを低下することなく燃費を低減することが可能となる。
【００４７】
また、車両の定速走行状態が判定されたときの車両の走行速度を定速走行速度ＶAVとした場合に、車両の定速走行状態が判定された後、車両の走行速度の定速走行速度ＶAVからの乖離成分が予め設定された範囲を超える場合及びアクセル開度Ａｃｃの変化量が予め設定された範囲を超える場合の少なくとも何れか一方である場合に、エンジンへの燃焼成分の供給量の低減を停止する。従って、エンジンへの燃焼成分の供給量を通常制御状態に復帰させることができ、ドライバビリティを損なうことなく、エンジントルクを速やかに復帰させることができる。
【００４８】
また、車両の定速走行状態が判定されたときの車両の走行速度を定速走行速度とした場合に、車両の定速走行状態が判定された後、車両の走行速度の定速走行速度ＶAVからの乖離成分が予め設定された範囲内であり且つアクセル開度の変化量が予め設定された範囲内である場合に、予め設定された所定時間経過毎にエンジンへの燃焼成分の供給量を予め設定された所定量ずつ低減する。従って、より一層の燃費の低減が可能となる。
【００４９】
なお、本発明の主旨を損なわない範囲で応用改変することは可能である。例えば、エンジンの出力の変更を第１実施形態では吸入空気量に基づいて行ったが、これに代えて燃料噴射量に基づいて行うように変更することは可能である。即ち、エンジンの出力制御を行う主なパラメータを選択し、そのパラメータの低減量の設定を行うようにすればよい。
【符号の説明】
【００５０】
１はエンジン
２は無段変速機
３はディファレンシャルギヤ
４は駆動輪
５はエンジンコントロールユニット
６はエンジン制御アクチュエータ
７は無段変速機コントロールユニット
８はアクセル開度センサ
９は走行速度センサ
１０は加速度センサ
【図１】
2013083183.tif 000003
【図２】
2013083183.tif 000004
【図３】
2013083183.tif 000005
【図４】
2013083183.tif 000006
【図５】
2013083183.tif 000007